(57)【特許請求の範囲】
【請求項１】
マウスの側部／底部に開口が形成された、タッチペンを収納可能な収納空間をマウス内部に設け、前記タッチペンを前記開口に置き入れて前記収納空間内に固定し、前記マウスの前記収納空間の内壁に電気接点部を設け、前記タッチペンのボディ表面に電気接点部を設けて、前記タッチペンを前記収納空間内に置き入れて前記マウスの電気接点部と前記タッチペンの電気接点部を電気的に接続させると、コンピュータシステムから前記マウスを介して前記タッチペンを充電し、或いは前記マウス内の電池から前記タッチペンを充電し、前記マウスの電気接点部と前記タッチペンの電気接点部は特製のコネクタ或いはＵＳＢ規格のコネクタであり、前記タッチペンを前記収納空間内に置き入れて前記マウスの電気接点部と前記タッチペンの電気接点部が電気的に接続すると、前記マウスがWindowsシステム、MacシステムおよびAndroidシステムのうち1つのコンピュータシステムに電気的に接続し、前記コンピュータシステム上のソフトウェア又は前記マウスのファームウェアが、前記マウスの電気接点部と前記タッチペンの電気接点部を介してタッチペン操作プロトコル又はオプションを前記タッチペンのメモリに書き込むことを特徴とするタッチペンを収納可能なマウス。
【発明の詳細な説明】
【技術分野】
【０００１】
本発明は、コンピュータ周辺機器の分野に関し、特にタッチペンを収納可能なマウスに関するものである。
【背景技術】
【０００２】
図１は、従来のタッチスクリーンをメインスクリーンの拡張スクリーンとした模式図である。図１では、コンピュータ本体（図示なし）に接続した後、元々のメインスクリーン１０からダブルスクリーンとなり、そのうち１つはタッチスクリーン１２であってよい。タッチスクリーン１２を拡張モードに設定し、タッチスクリーン１２にＵＳＢケーブル（図示なし）を挿入した後、デバイスドライバをインストールすると、タッチスクリーン１２はタッチパネルと同じようにタッチペン１４でクリックすることができ、マウス１６の操作と同様にマウスイベントを動作させることができる。
【０００３】
図１では、コンピュータシステムの周辺設備として、メインスクリーン１０、タッチスクリーン１２、タッチペン１４およびマウス１６などを含んでおり、多くの周辺機器によって作業環境が乱雑に感じられ、これら多くの周辺機器を収納したとしても少なからず空間を占用することになる。
【発明の概要】
【発明が解決しようとする課題】
【０００４】
以上の問題に鑑みて、本発明は、タッチペンをマウス内部に収納し、周辺機器が占用する空間を減らすことで、作業環境が乱雑に感じられない、タッチペンを収納可能なマウスを提供することを目的とする。
【課題を解決するための手段】
【０００５】
本発明の第１の態様は、マウスの側部／底部に開口が形成された、タッチペンを収納可能な収納空間をマウス内部に設け、前記タッチペンを前記開口に置き入れて前記収納空間内に固定することを特徴とするタッチペンを収納可能なマウスを提供する。
【０００６】
本発明の態様において、前記マウスの前記収納空間の内壁に内ねじを形成し、前記タッチペンのボディ表面に外ねじを形成して、前記タッチペンの外ねじを前記マウスの内ねじに接続させる。
【０００７】
本発明の態様において、前記タッチペンのボディ側部に弾性係止部材を設け、前記タッチペンを前記収納空間内に置き入れると、前記タッチペンの前記弾性係止部材が弾性力によって前記収納空間の内壁に係止する。
【０００８】
本発明の態様において、前記マウスの前記収納空間の内壁に板ばねを設け、前記タッチペンを前記収納空間内に置き入れると、前記マウスの前記板ばねが弾性力によって前記タッチペンを挟み固定する。
【０００９】
本発明の態様において、前記タッチペンはプッシュ方式で長さが伸縮する。
【００１０】
本発明の態様において、前記タッチペンが、ボディ内部に設置されて前記タッチペンに電源を供給する電池と、ボディ側部のスイッチとを含み、前記タッチペンを前記収納空間内に置き入れると、前記マウスの前記収納空間の内壁が前記スイッチを押し、押された前記スイッチが前記電池から前記タッチペンへの電源供給を切断する。
【００１１】
本発明の態様において、前記マウスの前記収納空間の内壁に電気接点部を設け、前記タッチペンのボディ表面に電気接点部を設けて、前記タッチペンを前記収納空間内に置き入れて前記マウスの電気接点部と前記タッチペンの電気接点部を電気的に接続させると、コンピュータシステムから前記マウスを介して前記タッチペンを充電し、或いは前記マウス内の電池が前記タッチペンを充電する。前記マウスの電気接点部と前記タッチペンの電気接点部は特製のコネクタ或いはＵＳＢ規格のコネクタである。
【００１２】
本発明の態様において、前記タッチペンを前記収納空間内に置き入れて前記マウスの電気接点部と前記タッチペンの電気接点部が電気的に接続すると、前記マウスがモード切り換え信号を伝送し、或いは前記タッチペンのブルートゥース（登録商標。以下同じ。）がモード切り換え信号を発信して、コンピュータシステムにユーザインターフェイスを行うよう指示し、前記タッチペンを前記収納空間から取り出すと、前記マウスがモード切り換え信号を伝送し、或いは前記タッチペンのブルートゥースがモード切り換え信号を発信して、コンピュータシステムにユーザインターフェイスを行うよう指示する。
【００１３】
本発明の態様において、前記タッチペンを前記収納空間内に置き入れて前記マウスの電気接点部と前記タッチペンの電気接点部が電気的に接続すると、前記マウスのＵＳＢコネクタがWindowsシステム、MacシステムおよびAndroidシステムのうち１つのコンピュータシステムに電気的に接続し、前記コンピュータシステムが前記マウスの電気接点部と前記タッチペンの電気接点部を介してタッチペン操作プロトコルを前記タッチペンのメモリに書き込む。
【００１４】
本発明の態様において、前記収納空間は前記マウスの側部／底部に露出しており、露出した前記収納空間内に前記タッチペンを置き、前記マウスの側部を側部カバーで覆って前記収納空間と前記タッチペンを覆う。
【図面の簡単な説明】
【００１５】
【図１】図１は、従来のタッチスクリーンをメインスクリーンの拡張スクリーンとした模式図である。
【図２】図２は、本発明の第１の実施例のタッチペンを収納可能なマウスを示す模式図である。
【図３】図３は、本発明の第２の実施例のタッチペンを収納可能なマウスを示す模式図である。
【図４】図４は、本発明の第３の実施例のタッチペンを収納可能なマウスを示す模式図である。
【図５】図５Ａは、本発明のタッチペンの通常状態を示す模式図である。図５Ｂは、本発明のタッチペンの収縮状態を示す模式図である。
【図６】図６は、本発明のタッチペンとマウスのねじ山の接続を示す模式図である。
【図７】図７は、本発明のタッチペンとマウスが板ばねで挟み固定をする模式図である。
【図８】図８Ａは、本発明のタッチペンとマウスとが係止されていない状態を示す模式図である。図８Ｂは、本発明のタッチペンとマウスとが係止された状態を示す模式図である。
【図９】図９は、本発明のタッチペンの電気接点部とマウスの電気接点部が電気的に接続した状態を示す模式図である。
【発明を実施するための形態】
【００１６】
本発明が属する技術分野に習熟する者が本発明をより一層理解できるように、以下に本発明の好ましい実施例を挙げる。これに図面をあわせて本発明の構成内容および達成しようとする効果について詳細に説明する。
【００１７】
図２は、本発明の第１の実施例のタッチペンを収納可能なマウスを示す模式図である。マウス１６２の内部にタッチペン１４２を収納可能な収納空間１８２を設けており、第１の実施例では、（マウス１６２の上方から見て）収納空間１８２はマウス１６２の中央底部の内部に位置し、収納空間１８２はマウス１６２の一側部に開口を形成し、タッチペン１４２が収納空間１８２の開口部から収納空間１８２内に挿入される。
【００１８】
図３は、本発明の第２の実施例のタッチペンを収納可能なマウスを示す模式図である。マウス１６３の内部にタッチペン１４３を収納可能な収納空間１８３を設けており、第２の実施例では、（マウス１６３の上方から見て）２つの収納空間１８３はマウス１６３の左右側底部の内部に別々に位置し、２つの収納空間１８３はそれぞれマウス１６３の左右側方に開口を形成し、タッチペン１４３が２つの収納空間１８３の開口部からそれぞれ収納空間１８３内に挿入される。
【００１９】
図４は、本発明の第３の実施例のタッチペンを収納可能なマウスを示す模式図である。マウス１６４の内部にタッチペン１４４を収納可能な収納空間１８４を設けており、第３の実施例では、（マウス１６４の側方から見て）収納空間１８４はマウス１６４の一側底部に露出して露出開口を形成し、タッチペン１４４を露出開口の収納空間１８４内に置いて、側部カバー２０４でマウス１６４の側部を覆って、収納空間１８４とタッチペン１４４を覆う。
【００２０】
図５Ａは、本発明のタッチペンの通常状態を示す模式図であり、図５Ｂは、本発明のタッチペンの収縮状態を示す模式図である。図５Ａにおいて、タッチペン１４５の長さは通常、図２の収納空間１８２の長さよりも長いため、タッチペン１４５を収納空間１８２内に挿入するとタッチペン１４５のボディが一部露出し、良好な収納効果が得られない。
【００２１】
このため、タッチペン１４５は周知のプッシュ方式で伸縮する構造からなり、タッチペン１４５の第１のボディ１４５１を第２のボディ１４５２に向けて押すと、第２のボディ１４５２が第１のボディ１４５１の内部に向け収縮し、タッチペン１４５の全長が短くなり（図５Ｂ参照）、短くなったタッチペン１４５はマウス１６２の収納空間１８２内に収納することができる（図２参照）。タッチペン１４５をマウス１６２の収納空間１８２から取り出した後、第１のボディ１４５１をもう一度押すと、第２のボディ１４５２が第１のボディ１４５１の内部から離れる方向に伸長し、タッチペン１４５は通常長さの状態となる（図５Ａ参照）。
【００２２】
図６は、本発明のタッチペンとマウスのねじ山の接続を示す模式図である。図６において、マウス１６６の収納空間１８６の内壁に内ねじ２２６を形成し、タッチペン１４６のボディ末端の表面に外ねじ２０６を形成し、タッチペン１４６の外ねじ２０６がマウス１６６の内ねじ２２６に接続してタッチペン１４６をマウス１６６の収納空間１８６の内壁に固定する。
【００２３】
図７は、本発明のタッチペンとマウスが板ばねで挟み固定をする模式図である。図７において、マウス１６７の収納空間１８７の内壁に板ばね２４７を設け、タッチペン１４７を収納空間１８７に挿入すると、マウス１６７の板ばねが弾性力でタッチペン１４７を挟み固定し、タッチペン１４７をマウス１６７の収納空間１８７内に固定する。
【００２４】
図８Ａは、本発明のタッチペンとマウスとが係止されていない状態を示す模式図であり、図８Ｂは、本発明のタッチペンとマウスとが係止された状態を示す模式図である。図８Ａにおいて、タッチペン１４８のボディ側部に弾性係止部材２６８を設け、タッチペン１４８をマウス１６８の収納空間１８８内に挿入すると、収納空間１８８の内壁がタッチペン１４８の弾性係止部材２６８を押圧し、タッチペン１４８が弾性係止部材２６８の弾性力により収納空間１８８の内壁に係止される（図８Ｂ参照）。
【００２５】
図８Ａにおいて、タッチペン１４８のボディ側部に設けた弾性係止部材２６８はスイッチとすることもできる。タッチペン１４８は、そのボディ内部に設けられてタッチペン１４８に電源を供給する電池（図示なし）を有しており、タッチペン１４８がマウス１６８の収納空間１８８内に挿入されると、マウス１６８の収納空間１８８の内壁によりスイッチが押され、つまり図８Ｂのようにマウス１６８の収納空間１８８の内壁が弾性係止部材２６８を押し、押されたスイッチが電池からタッチペンへ１４８の電源供給を切断する。タッチペン１４８をマウス１６８の収納空間１８８から取り出すと、マウス１６８の収納空間１８８の内壁がスイッチを押すことがなくなり、つまり図８Ａのようにマウス１６８の収納空間１８８の内壁が弾性係止部材２６８を押すことがなく、電池がタッチペン１４８に電源を供給する。
【００２６】
図９は、本発明のタッチペンの電気接点部とマウスの電気接点部が電気的に接続した状態を示す模式図である。マウス１６９の収納空間１８９の内壁に電気接点部３０９を設け、タッチペン１４９のボディ表面に電気接点部２８９を設け、タッチペン１４９をマウス１６９の収納空間１８９内に挿入してマウス１６９の電気接点部３０９とタッチペン１４９の電気接点部２８９を電気的に接続させると、外部コンピュータシステムからマウス１６９を介してタッチペン１４９を充電し、或いはマウス１６９本体内部の電池（図示なし）からタッチペン１４９を充電する。ここで、マウス１６９の電気接点部３０９とタッチペン１４９の電気接点部２８９は特製のコネクタ或いはＵＳＢ規格のコネクタである。
【００２７】
図９において、タッチペン１４９をマウス１６９の収納空間１８９内に挿入し、マウス１６９の電気接点部３０９とタッチペン１４９の電気接点部２８９とが電気的に接続すると、マウス１６９から外部コンピュータシステムにモード切り換え信号を伝送し、或いはタッチペン１４９自体のブルートゥース（図示なし）から外部コンピュータシステムに前記モード切り換え信号を発信して、コンピュータオペレーションシステムのマンマシンインターフェースをタッチモード（例えばタブレットコンピュータのインターフェース）から非タッチモード（例えばパソコンのインターフェース）に切り換えるよう通知する。タッチペン１４９をマウス１６９の収納空間１８９から取り出すと、マウス１６９から外部コンピュータシステムに前記モード切り換え信号を伝送し、或いはタッチペン１４９自体のブルートゥースから外部コンピュータシステムに前記モード切り換え信号を発信して、コンピュータオペレーションシステムのマンマシンインターフェースを非タッチモードからタッチモードに切り換えるよう通知する。
【００２８】
タッチペン１４９をマウス１６９の収納空間１８９内に挿入し、マウス１６９の電気接点部３０９とタッチペン１４９の電気接点部２８９とが電気的に接続すると、マウス１６９のＵＳＢコネクタが、Windowsシステムの外部コンピュータシステムに電気的に接続し、前記外部コンピュータシステム上のソフトウェア又はマウス１６９上のファームウェアが、マウス１６９の電気接続点３０９とタッチペン１４９の電気接続点２８９を介して、例えばＭＰＰ（Microsoft Pen Protocol）のタッチペン操作プロトコル又はオプションをタッチペン１４９のメモリ（図示なし）に書き込み、タッチペン１４９をマウス１６９の収納空間１８９から取り出した後、タッチペン１４９をＭＰＰのタッチペン操作プロトコルによってWindowsシステム下でタッチスクリーン１２上で操作する。
【００２９】
同様に、マウス１６９のＵＳＢコネクタをMacシステム又はAndroidシステムの外部コンピュータシステムに電気的に接続すると、前記外部コンピュータシステムがマウス１６９のＵＳＢコネクタを介し、マウス１６９の電気接続点３０９とタッチペン１４９の電気接続点２８９を経由して、Macシステム又はAndroidシステムのタッチペン操作プロトコルをタッチペン１４９のメモリに書き込み、タッチペン１４９をマウス１６９の収納空間１８９から取り出した後、タッチペン１４９をタッチペン操作プロトコルによってMacシステム又はAndroidシステム下でタッチスクリーン１２上で操作する。
【００３０】
本発明は、タッチペンをマウス内部に収納し、周辺機器が占用する空間を減らすことで作業環境が乱雑に感じられない、タッチペンを収納可能なマウスを提供するものである。
【００３１】
本発明について、好ましい具体例および図面による例を挙げて説明をしたが、本発明はこれらに制限されるものでない。この技術に習熟する者がその形態や具体例の内容に対して行う種々修正、省略および変化は、本発明の請求項で主張する範囲を逸脱しない。
【符号の説明】
【００３２】
１０    メインスクリーン
１２    タッチスクリーン
１４    タッチペン
１６    マウス
１４２  タッチペン
１４３  タッチペン
１４４  タッチペン
１４５  タッチペン
１４６  タッチペン
１４７  タッチペン
１４８  タッチペン
１４９  タッチペン
１６２  マウス
１６３  マウス
１６４  マウス
１６６  マウス
１６７  マウス
１６８  マウス
１６９  マウス
１８２  収納空間
１８３  収納空間
１８４  収納空間
１８６  収納空間
１８７  収納空間
１８８  収納空間
１８９  収納空間
２０４  側部カバー
２０６  外ねじ
２２６  内ねじ
２４７  板ばね
２６８  弾性係止部材
２８９  電気接点部
３０９  電気接点部
１４５１  第１のボディ
１４５２  第２のボディ
【図１】
0006934684.tif 000002
【図２】
0006934684.tif 000003
【図３】
0006934684.tif 000004
【図４】
0006934684.tif 000005
【図５】
0006934684.tif 000006
【図６】
0006934684.tif 000007
【図７】
0006934684.tif 000008
【図８】
0006934684.tif 000009
【図９】
0006934684.tif 000010